(57)【要約】【課題】印刷制御装置が対応している印刷媒体の種類について、適切な画像処理を施して印刷を実行する技術を提供する。【解決手段】印刷制御装置は、印刷装置による印刷に用いる印刷媒体の種類の指定を受け付ける指定受付部と、前記印刷装置による画像処理が対応する印刷媒体の種類に前記指定された印刷媒体の種類が含まれるか否かを前記印刷装置と通信して判定する判定部と、前記印刷装置による画像処理が対応する印刷媒体の種類に前記指定された印刷媒体の種類が含まれる場合には、前記指定された印刷媒体の種類に応じた画像処理を施さずに印刷対象データを前記印刷装置に送信し、含まれない場合には、前記指定された印刷媒体の種類に応じた画像処理を施して前記印刷対象データを前記印刷装置に送信する印刷制御部と、を備える。【選択図】図２
2017076310.tif 000002
【特許請求の範囲】
【請求項１】
印刷装置による印刷に用いる印刷媒体の種類の指定を受け付ける指定受付部と、
前記印刷装置による画像処理が対応する印刷媒体の種類に前記指定された印刷媒体の種類が含まれるか否かを前記印刷装置と通信して判定する判定部と、
前記印刷装置による画像処理が対応する印刷媒体の種類に前記指定された印刷媒体の種類が含まれる場合には、前記指定された印刷媒体の種類に応じた画像処理を施さずに印刷対象データを前記印刷装置に送信し、含まれない場合には、前記指定された印刷媒体の種類に応じた画像処理を施して前記印刷対象データを前記印刷装置に送信する印刷制御部と、
を備える印刷制御装置。
【請求項２】
前記判定部は、前記印刷装置による画像処理が対応する印刷媒体の種類を示す媒体対応情報を前記印刷装置から通信により取得し、前記媒体対応情報に基づいて前記印刷装置による画像処理が対応する印刷媒体の種類に前記指定された印刷媒体の種類が含まれるか否かを判定する、
請求項１に記載の印刷制御装置。
【請求項３】
前記指定受付部は、前記媒体対応情報に基づいて、前記印刷装置による画像処理が対応する印刷媒体の全種類を指定可能な状態で前記印刷装置による印刷に用いる印刷媒体の種類の指定を受け付ける、
請求項２に記載の印刷制御装置。
【請求項４】
印刷装置による印刷に用いる印刷媒体の種類の指定を受け付ける指定受付機能と、
前記印刷装置による画像処理が対応する印刷媒体の種類に前記指定された印刷媒体の種類が含まれるか否かを前記印刷装置と通信して判定する判定機能と、
前記印刷装置による画像処理が対応する印刷媒体の種類に前記指定された印刷媒体の種類が含まれる場合には、前記指定された印刷媒体の種類に応じた画像処理を施さずに印刷対象データを前記印刷装置に送信し、含まれない場合には、前記指定された印刷媒体の種類に応じた画像処理を施して印刷対象データを前記印刷装置に送信する印刷制御機能と、
をコンピューターに実現させるための印刷制御プログラム。
【請求項５】
印刷装置による印刷に用いる印刷媒体の種類の指定を受け付ける指定受付機能と、
前記印刷装置による画像処理が対応する印刷媒体の種類に前記指定された印刷媒体の種類が含まれるか否かを前記印刷装置と通信して判定する判定機能と、
前記印刷装置による画像処理が対応する印刷媒体の種類に前記指定された印刷媒体の種類が含まれる場合には、前記指定された印刷媒体の種類に応じた画像処理を施さずに印刷対象データを前記印刷装置に送信し、含まれない場合には、前記指定された印刷媒体の種類に応じた画像処理を施して前記印刷対象データを前記印刷装置に送信する印刷制御機能と、
をコンピューターに実現させるための印刷制御プログラムが記録された記録媒体。
【請求項６】
印刷装置による印刷に用いる印刷媒体の種類の指定を受け付ける指定受付ステップと、
前記印刷装置による画像処理が対応する印刷媒体の種類に前記指定された印刷媒体の種類が含まれるか否かを前記印刷装置と通信して判定する判定ステップと、
前記印刷装置による画像処理が対応する印刷媒体の種類に前記指定された印刷媒体の種類が含まれる場合には、前記指定された印刷媒体の種類に応じた画像処理を施さずに印刷対象データを前記印刷装置に送信し、含まれない場合には、前記指定された印刷媒体の種類に応じた画像処理を施して前記印刷対象データを前記印刷装置に送信する印刷制御ステップと、
を含む印刷制御方法。
【発明の詳細な説明】
【技術分野】
【０００１】
本発明は印刷制御装置、印刷制御プログラムおよび印刷制御方法に関する。
【背景技術】
【０００２】
ＰＣ、スマートフォンなどの印刷制御装置から印刷対象データを送信して印刷装置に印刷を実行させる際に、イメージデータを印刷対象データとして送信するか、ページ記述言語を印刷対象データとして送信するかを印刷制御装置の性能や印刷対象データの内容に応じて切り換える技術が特許文献１に記載されている。
【先行技術文献】
【特許文献】
【０００３】
【特許文献１】特開２００８−２８２３８７号公報
【発明の概要】
【発明が解決しようとする課題】
【０００４】
ところで近年は、スマートフォンを印刷制御装置として用いるシーンが増加しているため、色空間変換など印刷装置の仕様に対応した処理を印刷装置で施すようにして、印刷制御装置では印刷装置の仕様に対応した処理を施す必要を無くすることが望ましい。印刷媒体の種類が異なれば、印刷対象データに施すべき画像処理は異なるものになる。しかし、普通紙、写真用紙、ファインアート紙、マット紙など、全ての種類に対応した画像処理を印刷装置ができるわけではない。また、印刷装置のファームウェアのバージョンアップにともなって、未対応だった印刷媒体の種類に応じた画像処理を同じ印刷装置でできるようになることもある。逆に、印刷制御装置にインストールされた最新バージョンの印刷制御プログラムが対応している印刷媒体の種類に印刷装置による画像処理が対応していないことも起こりえる。
【０００５】
本発明は、印刷制御装置が対応している印刷媒体の種類について、適切な画像処理を施して印刷を実行する技術を提供することを目的の１つとする。
【課題を解決するための手段】
【０００６】
（１）上記目的を達成するための印刷制御装置は、印刷装置による印刷に用いる印刷媒体の種類の指定を受け付ける指定受付部と、前記印刷装置による画像処理が対応する印刷媒体の種類に前記指定された印刷媒体の種類が含まれるか否かを前記印刷装置と通信して判定する判定部と、前記印刷装置による画像処理が対応する印刷媒体の種類に前記指定された印刷媒体の種類が含まれる場合には、前記指定された印刷媒体の種類に応じた画像処理を施さずに印刷対象データを前記印刷装置に送信し、含まれない場合には、前記指定された印刷媒体の種類に応じた画像処理を施して前記印刷対象データを前記印刷装置に送信する印刷制御部と、を備える。
本発明によると、印刷装置による画像処理が対応する印刷媒体の種類に、指定された印刷媒体の種類が含まれる場合には、印刷媒体の種類に応じた画像処理が印刷装置によってなされ、含まれない場合には、印刷媒体の種類に応じた画像処理が印刷制御装置によってなされる。したがって本発明によると、印刷制御装置が対応している印刷媒体の種類について、適切な画像処理を施して印刷を実行することができる。なお、「画像処理」は、印刷対象データに対して施される処理であって印刷媒体の種類に応じて異なる処理を含む。
【０００７】
（２）上記目的を達成するための印刷制御装置において、前記判定部は、前記印刷装置による画像処理が対応する印刷媒体の種類を示す媒体対応情報を前記印刷装置から通信により取得し、前記媒体対応情報に基づいて前記印刷装置による画像処理が対応する印刷媒体の種類に前記指定された印刷媒体の種類が含まれるか否かを判定してもよい。
この構成を採用する場合、印刷装置による画像処理が対応する印刷媒体の種類に、指定された印刷媒体の種類が含まれるか否かを印刷装置が判定する必要が無くなる。
【０００８】
（３）上記目的を達成するための印刷制御装置において、前記指定受付部は、前記媒体対応情報に基づいて、前記印刷装置による画像処理が対応する印刷媒体の全種類を指定可能な状態で前記印刷装置による印刷に用いる印刷媒体の種類の指定を受け付けもよい。
この構成を採用する場合、印刷装置、印刷制御装置の少なくともいずれか一方が対応している印刷媒体の種類について、適切な画像処理を施して印刷を実行することができる。
【０００９】
なお、請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。さらに、本発明は印刷制御プログラムの記録媒体としても成立する。むろん、その記録媒体は、磁気記録媒体であってもよいし光磁気記録媒体であってもよいし、今後開発されるいかなる記録媒体であってもよい。
【図面の簡単な説明】
【００１０】
【図１】本発明の実施形態にかかる印刷システムを示すブロック図。
【図２】本発明の実施形態にかかる印刷制御方法を示すフローチャート。
【図３】本発明の実施形態にかかる画面構成図。
【図４】本発明の実施形態にかかるデータ構造図。
【図５】本発明の実施形態にかかるデータ構造図。
【発明を実施するための形態】
【００１１】
以下、本発明の実施の形態を添付図面を参照しながら説明する。尚、各図において対応する構成要素には同一の符号が付され、重複する説明は省略される。
【００１２】
１．第一実施例
図１は、印刷制御装置の一実施例としてのＰＣ１と、印刷装置の一実施例としてのプリンター２とを示すブロック図である。ＰＣ１は、タッチパネルディスプレイで構成された表示部１２および操作部１１、コンピューターで構成された制御部１３、並びに、外部機器と通信するための通信部１４を備えている。プリンター２は、外部機器と通信するための通信部２１、タッチパネルディスプレイで構成された表示部２３および操作部２２、コンピューターで構成された制御部２４、ＡＳＩＣ（特定用途向け集積回路）で構成された画像処理部２５、並びに、紙送り機構やインクジェット方式の印字機構で構成された印刷部２６を備えている。ＰＣ１とプリンター２とは、無線ＬＡＮ（ＩＥＥＥ８０２．１１）、Ｂｌｕｅｔｏｏｔｈ（ＩＥＥＥ８０２．１５．１）、ＵＳＢ等の規格に準じて構成された通信部１４、２１により通信可能に接続された状態で印刷システムを構成する。
【００１３】
ＰＣ１の制御部１３は、主記憶装置であるＲＡＭ、外部記憶装置であるフラッシュメモリ、プロセッサおよび入出力機構を備え、フラッシュメモリに記憶された印刷制御プログラムとしてのドライバーをＲＡＭにロードしてプロセッサで実行することにより、指定受付部１３１、判定部１３２、印刷制御部１３３として機能する。
【００１４】
指定受付部１３１は、表示部１２を制御し、操作部１１からの入力を処理することにより、プリンター２による印刷に用いる印刷媒体の種類の指定を含む印刷設定の入力を受け付けるＧＵＩを構成する。印刷設定には、印刷媒体の種類の指定の他、印刷部数、割付数、用紙サイズ、給紙、原稿種類、カラー種別（カラー／モノクロ）、印刷品質、両面印刷指定、余白指定などが含まれる。以下、プリンター２による印刷に用いる印刷媒体の種類のことを指定媒体といい、プリンター２による画像処理が対応する印刷媒体の種類のことを印刷対応媒体というものとする。指定受付部１３１は、指定媒体の指定を受け付けるにあたり、指定可能な印刷媒体の一覧を表示部１２に表示する。指定可能な印刷媒体の一覧は、ＰＣ１による画像処理が対応する印刷媒体の全ての種類を表すデータである指定可能リスト１３４に基づいて表示される。指定可能リスト１３４は、ドライバーの一部を構成し、ドライバーのバージョンアップに伴うインストール毎に更新される。
【００１５】
判定部１３２は、印刷対応媒体に指定媒体が含まれるか否かをプリンター２と通信して判定する。具体的には、印刷対応媒体リスト２４１をプリンター２から通信により取得し、印刷対応媒体リスト２４１に基づいて指定媒体が印刷対応媒体リスト２４１に含まれているか否かを判定する。媒体対応情報としての印刷対応媒体リスト２４１は、プリンター２による画像処理が対応する印刷媒体の全ての種類を表すデータである。印刷対応媒体リスト２４１は、ファームウェアの一部を構成し、ファームウェアのバージョンアップに伴うインストール毎に更新される。
【００１６】
印刷制御部１３３は、ファイルシステム又はアプリケーションプログラムから印刷対象データを取得するとともに指定受付部１３１から印刷設定を取得し、印刷設定に応じた印刷対象データとコマンドを含むジョブデータをプリンター２に送信する。印刷制御部１３３は、印刷対応媒体リスト２４１に指定媒体が含まれる場合には、指定媒体に応じた画像処理を施さずに印刷対象データをプリンター２に送信する。また印刷制御部１３３は、印刷対応媒体リストに指定媒体が含まれない場合には、指定媒体に応じた画像処理を施して印刷対象データをプリンター２に送信する。すなわち印刷制御部１３３は、指定可能リスト１３４に含まれている印刷媒体の種類に応じた画像処理を印刷対象データに施す機能を有するが、プリンター２が指定媒体に対応している場合には、指定媒体に応じた画像処理を印刷対象データに施さずに印刷対象データをプリンター２に送信する。
【００１７】
プリンター２の制御部２４は、主記憶装置であるＲＡＭ、外部記憶装置であるフラッシュメモリ、プロセッサおよび入出力機構を備え、フラッシュメモリに記憶されたファームウェアをＲＡＭにロードしてプロセッサで実行することにより、プリンター２の各部を制御する。なお、プリンター２による画像処理は、制御部２４と画像処理部２５によって印刷対象データに施される。例えば制御部２４は指定媒体に応じた色変換テーブルを画像処理部２５に設定し、画像処理部２５は設定された色変換テーブルに基づいてＲＧＢ形式の印刷対象データをＣＭＹＫ形式の印刷対象データに変換する。前述したように、制御部２４と画像処理部２５は、印刷対応媒体リスト２４１に含まれている印刷媒体の種類に応じた画像処理を印刷対象データに施す機能を有する。
【００１８】
図２は、ＰＣ１による印刷制御方法を説明するためのフローチャートである。図２に示す処理は、ＰＣ１のユーザーがドライバーを起動することで起動する。
【００１９】
はじめに指定受付部１３１は、印刷設定及び印刷指示を受け付ける（Ｓ１０）。例えば、指定受付部１３１は、図３Ａに示す印刷指示画面１００Ａおよび図３Ｂに示す印刷設定画面１００Ｂを表示部１２に表示し、操作部１３からの入力を取得することによって印刷設定および印刷指示を受け付ける。図３Ａに示すように印刷対象データ１０１を表示した印刷指示画面１００Ａにおいて印刷アイコン１０３が選択されると、指定受付部１３１は、初期設定の印刷設定とともに印刷指示を受け付ける。また印刷指示画面１００Ａにおいて詳細設定アイコン１０２が選択されると、図３Ｂに示す印刷設定画面１００Ｂを表示部１２に表示する。印刷設定画面１００Ｂにおいて用紙種類テキスト２０１が選択されると、指定可能な媒体種類の一覧を指定可能リスト１３４に基づいて表示する。印刷設定画面１００Ｂにおいて印刷アイコン２０２が選択されると、指定受付部１３１は、印刷設定画面１００Ｂに表示されている印刷設定（印刷部数、割付数、用紙サイズ、用紙種類、給紙、原稿種類、カラー種別、印刷品質）とともに印刷指示を受け付ける。
【００２０】
次に、印刷制御部１３３は、ファイルシステムまたはアプリケーションプログラムから取得した印刷対象データをＲＧＢ形式に変換する（Ｓ１１）。具体的には、印刷制御部１３３は、印刷対象データをＲＧＢビットマップ形式にラスタライズする。
【００２１】
次に、判定部１３２は、プリンター２と通信することにより印刷対応媒体リスト２４１を取得する（Ｓ１２）。
【００２２】
次に、判定部１３２は、取得した印刷対応媒体リスト２４１に、印刷設定で指定された用紙種類（指定媒体）が含まれているか否かを判定する（Ｓ１３）。すなわちここで、印刷装置による画像処理が対応する印刷媒体の種類に、ユーザーによって指定された印刷媒体の種類が含まれるかが判定される。
【００２３】
印刷設定で指定された印刷媒体の種類が印刷対応媒体リスト２４１に含まれている場合、印刷制御部１３３は、ＲＧＢ形式の印刷対象データを含むジョブデータを生成し（Ｓ１４）、ジョブデータをプリンター２に送信する（Ｓ１７）。
【００２４】
図４は、印刷設定で指定された印刷媒体の種類が印刷対応媒体リスト２４１に含まれている場合に、プリンター２に送信されるジョブデータの時間軸の構成を示すデータ構造図である。ジョブデータは印刷制御コマンドと、印刷制御コマンドとともに送信される印刷対象データとを含み、図４には印刷制御コマンドがＰＣ１からプリンター２に送信される順序が示されている。ページ開始設定コマンドからページ終了コマンドまでの印刷制御コマンドは、各印刷制御コマンドのパラメーターと印刷対象データを変えながら、ページ単位に繰り返し送信される。印刷対象データは、ラスター単位でＲＧＢデータ転送コマンドとともに送信される。印刷設定で指定された印刷媒体の種類が印刷対応媒体リスト２４１に含まれている場合、印刷媒体の種類に関連するプリンター２側の設定を用紙種類ＩＤによって指定するという意味を持つフラグがメカシーケンス設定コマンドのパラメーターに設定される。すなわち、印刷設定で指定された印刷媒体の種類が印刷対応媒体リスト２４１に含まれている場合、印刷媒体の種類に対応する詳細な制御パラメーターの設定はプリンター２によってなされる。デバイスモード移行コマンドは、色空間変換、ハーフトーン処理などの印刷媒体の種類に応じた画像処理をプリンター２で実行するモードに移行させるコマンドである。印刷品質設定コマンドは、用紙種類ＩＤ、印刷品質ＩＤ、カラー／モノクロ設定値、カラー詳細調整設定値をパラメーターとして有する。プリンタメカ制御設定コマンドは、用紙サイズＩＤ、縁なし設定値、白紙節約モード設定値をパラメーターとして有する。ページ品質設定コマンドは、カラー／モノクロ設定値、色補正方法設定値、ガンマ補正設定値、カラー詳細調整設定値をパラメーターとして有する。ＲＧＢデータ転送コマンドは、水平／垂直オフセット、ラスターデータサイズをパラメーターとして有し、ＲＧＢデータ転送コマンドの直後にＲＧＢ形式の印刷対象データが送信される。
【００２５】
印刷設定で指定された印刷媒体の種類が印刷対応媒体リスト２４１に含まれている場合、指定された印刷媒体の種類に対応する色空間変換、ハーフトーン処理などの画像処理はプリンター２によってなされるため、ＰＣ１の印刷制御部１３３は、指定された印刷媒体の種類に対応する画像処理を印刷対象データに施さずに、ＲＧＢ形式のままで印刷対象データをプリンター２に送信する。
【００２６】
印刷設定で指定された印刷媒体の種類が印刷対応媒体リスト２４１に含まれていない場合、印刷制御部１３３は、ＲＧＢ形式の印刷対象データをＣＭＹＫ形式に変換し（Ｓ１５）、ＣＭＹＫ形式の印刷対象データを含むジョブデータを生成し（Ｓ１６）、ジョブデータをプリンター２に送信する（Ｓ１７）。
【００２７】
印刷制御部１３３は、ＲＧＢ形式の印刷対象データをＣＭＹＫ形式に変換する過程で、指定された印刷媒体の種類に応じた画像処理を印刷対象データに施す。例えば印刷制御部１３３は、指定された印刷媒体の種類に応じた色空間テーブルを用いて印刷対象データの色空間をＲＧＢからＣＭＹＫに変換する処理や、指定された印刷媒体の種類に応じたディザテーブルや誤差拡散テーブルを用いてハーフトーン処理を実行する。
【００２８】
図５は、印刷設定で指定された印刷媒体の種類が印刷対応媒体リスト２４１に含まれていない場合に、プリンター２に送信されるジョブデータの時間軸の構成を示すデータ構造図である。次ページデータ有無設定コマンドから強制印刷コマンドまでの印刷制御コマンドは、各印刷制御コマンドのパラメーターと印刷対象データを変えながら、ページ単位に繰り返し送信される。相対垂直位置指定コマンドからハーフトーンデータ転送コマンドまでの印刷制御コマンドは、各印刷制御コマンドのパラメーターと印刷対象データを変えながら、ラスター単位に繰り返し送信される。印刷設定で指定された印刷媒体の種類が印刷対応媒体リスト２４１に含まれていない場合、メカシーケンス設定コマンドは、印刷媒体の厚さ、印刷部２６の駆動モード、印刷スピード、スキュー除去処理等をパラメーターとして有する。グラフィックモード移行コマンドは、色空間変換、ハーフトーン処理などの印刷媒体の種類に応じた画像処理をプリンター２で実行しないモードに移行させるコマンドである。ユニット設定コマンドは、印刷媒体サイズ／印刷領域・位置指定の基準単位設定値をパラメーターとして有する。ドットサイズ指定コマンドは、印刷部２６の印刷ヘッドから吐出するインクドットの大きさの設定値をパラメーターとして有する。ラスター解像度設定コマンドは、単位面積あたりに吐出するインクドットの数の設定値をパラメーターとして有する。相対垂直位置指定コマンドは、印刷媒体の搬送量をパラメーターとして有する。絶対水平位置指定コマンドは、ラスター内で最初にインク滴を吐出する水平方向（主走査方向）の位置をパラメーターとして有する。ハーフトーンデータ転送コマンドは、その直後にハーフトーン処理が施されたＣＭＹＫ形式の印刷対象データが送信されることを示す。
【００２９】
プリンター２は、ジョブデータをＰＣ１から受信すると、ジョブデータに基づいて印刷を実行する。すなわち、印刷設定で指定された印刷媒体の種類が印刷対応媒体リスト２４１に含まれている場合、制御部２４と画像処理部２５は、印刷制御コマンドに基づいて、ＲＧＢ形式の印刷対象データに色空間変換、ハーフトーン処理などを施してＣＭＹＫ形式に変換した後に、駆動モード、印刷スピード、印刷開始位置等を制御しながら印刷部２６に印刷対象データを出力して印刷を実行させる。すなわち、印刷設定で指定された印刷媒体の種類が印刷対応媒体リスト２４１に含まれていない場合、プリンター２は、印刷媒体の種類に応じた画像処理を印刷データに施して印刷を実行する。また、印刷設定で指定された印刷媒体の種類が印刷対応媒体リスト２４１に含まれていない場合、制御部２４と画像処理部２５は、印刷制御コマンドに基づいて、駆動モード、印刷スピード、印刷開始位置等を制御しながら、ジョブデータとして取得したＣＭＹＫ形式の印刷対象データを印刷部２６に出力して印刷を実行させる。すなわち、印刷設定で指定された印刷媒体の種類が印刷対応媒体リスト２４１に含まれていない場合、プリンター２は、印刷媒体の種類に応じた画像処理を印刷データに施さずに印刷を実行する。
【００３０】
以上説明した本発明の実施例によると、プリンター２による画像処理が対応する印刷媒体の種類に、ＰＣ１で指定された印刷媒体の種類が含まれる場合には、印刷媒体の種類に応じた画像処理がプリンター２によってなされ、含まれない場合には、印刷媒体の種類に応じた画像処理がＰＣ１によってなされることになる。したがって、本発明によると、ＰＣ１のドライバーが対応している印刷媒体の種類については、たとえプリンター２のファームウェアが対応していないとしても、印刷媒体の種類に応じた適切な画像処理を施して印刷を実行することができる。また、プリンター２による画像処理が対応する印刷媒体の種類に、ＰＣ１で指定された印刷媒体の種類が含まれるか否かをプリンター２が判定する必要が無い。
【００３１】
２．他の実施形態
尚、本発明の技術的範囲は、上述した実施例に限定されるものではなく、本発明の要旨を逸脱しない範囲内において種々変更を加え得ることは勿論である。例えば、上記実施例では、ＰＣ１において印刷指示を受け付ける度にプリンター２から印刷対応媒体リストを取得して印刷装置による画像処理が対応する印刷媒体の種類に、指定された印刷媒体の種類が含まれるか否かを判定したが、印刷指示の度ではなく、ＰＣ１とプリンター２との接続が確立される度に、ＰＣ１がプリンター２から印刷対応媒体リストを取得してもよい。
【００３２】
また、例えば、ＰＣ１において印刷媒体の種類の指定を受け付ける度に、指定媒体をプリンター２に送信して印刷対応媒体リストに指定媒体が含まれているか否かを問い合わせ、プリンター２からの応答に基づいて、印刷装置による画像処理が対応する印刷媒体の種類に、指定された印刷媒体の種類が含まれるか否かを判定してもよい。すなわち、ＰＣ１は印刷対応媒体リスト２４１をプリンター２から取得せずに、印刷装置による画像処理が対応する印刷媒体の種類に、指定された印刷媒体の種類が含まれるか否かを判定してもよい。
【００３３】
なお、上記実施例では、ＰＣ１の指定可能リスト１３４のバージョンよりも、印刷対応媒体リスト２４１のバージョンが新しい場合など、印刷対応媒体リスト２４１に含まれる印刷媒体の種類が指定可能リスト１３４に含まれていない場合には、プリンター２において種類に応じた画像処理が可能な印刷媒体であるにもかかわらず、ＰＣ１において当該印刷媒体の指定ができないという課題がある。そこで、印刷対応媒体リスト２４１に含まれる印刷媒体の種類が指定可能リスト１３４に含まれていない場合には、印刷対応媒体リスト２４１に基づいて指定可能リスト１３４を更新しても良い。すなわち、印刷制御装置の指定受付部は、印刷装置から取得する媒体対応情報に基づいて、印刷装置による画像処理が対応する印刷媒体の全種類を指定可能な状態で印刷装置による印刷に用いる印刷媒体の種類の指定を受け付けもよい。具体的には、ＰＣ１は、印刷対応媒体リスト２４１をプリンター２から取得して印刷対応媒体リスト２４１と指定可能リスト１３４とを照合し、印刷対応媒体リスト２４１に含まれていて指定可能リスト１３４に含まれていない印刷媒体の種類を指定可能リスト１３４に追加する。これにより、プリンター２において種類に応じた画像処理が可能な印刷媒体については、常にＰＣ１において指定媒体として指定することが可能になる。すなわち、印刷装置、印刷制御装置の少なくともいずれか一方が対応している印刷媒体の種類については、常に、適切な画像処理を施して印刷を実行することができる。
【００３４】
また、例えば、印刷媒体の種類に応じた画像処理を印刷制御装置と印刷装置の両方で印刷対象データに施す印刷システムに本発明を適用することも可能である。例えば印刷媒体の種類を階層的に定め、上位階層の種類（例えば普通紙、マット紙、光沢紙）に応じたハーフトーン処理は常に印刷装置側で印刷対象データに施すようにして、下位階層の種類（例えばいずれもマット紙の種類に属する写真用マット紙とアート紙）に応じた色空間の変換処理については、印刷装置で実行可能な場合には印刷装置において実行し、印刷装置で実行不可能で印刷制御装置で実行可能な場合には印刷制御装置において実行するようにしてもよい。
【００３５】
その他、スマートフォン、タブレット端末などを印刷制御装置として本発明を適用しても良いし、電子写真方式、昇華型など、インクジェット方式以外の印刷機構を有する印刷装置の制御装置に本発明を適用しても良いことは言うまでもない。
【符号の説明】
【００３６】
１…ＰＣ、２…プリンター、１１…操作部、１２…表示部、１３…制御部、１３…操作部、１４…通信部、２１…通信部、２２…操作部、２３…表示部、２４…制御部、２５…画像処理部、２６…印刷部、１００Ａ…印刷指示画面、１００Ｂ…印刷設定画面、１０１…印刷対象データ、１０２…詳細設定アイコン、１０３…印刷アイコン、１３１…指定受付部、１３２…判定部、１３３…印刷制御部、１３４…指定可能リスト、２０１…用紙種類テキスト、２０２…印刷アイコン、２４１…印刷対応媒体リスト
【図１】
2017076310.tif 000003
【図２】
2017076310.tif 000004
【図３】
2017076310.tif 000005
【図４】
2017076310.tif 000006
【図５】
2017076310.tif 000007